【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
画像データを入力する画像入力手段と、
複数の送信宛先を指定することが可能な送信宛先指定手段と、
前記送信宛先指定手段で指定された複数の送信宛先の全てが記述されている電子メール宛先フィールドと前記画像入力手段で入力された画像データとを含む電子メールデータを、前記送信宛先指定手段で指定された送信宛先毎に作成する電子メールデータ作成手段と、
前記電子メールデータ作成手段で作成した電子メールデータを前記送信宛先指定手段で指定された送信宛先毎に送信する送信手段と、
を備えることを特徴とする通信装置。
【請求項２】
前記送信宛先指定手段で指定された複数の送信宛先のうちの１宛先分の宛先を示す情報を前記画像入力手段で入力した画像データに付加する宛先情報付加手段を有し、前記電子メールデータ作成手段は、前記電子メール宛先フィールドと、前記宛先情報付加手段により宛先を示す情報が付加された画像データとに基づき電子メールデータを作成することを特徴とする請求項１に記載の通信装置。
【請求項３】
前記電子メールデータ作成手段は、前記画像入力手段で入力された画像データを、前記送信宛先指定手段で指定された複数の送信宛先毎に、サイズ、解像度又は圧縮方式の異なる画像データとなるように処理して電子メールデータを作成可能であることを特徴とする請求項１又は請求項２に記載の通信装置。
【請求項４】
複数の送信宛先毎に扱える画像データに関する情報を記憶する記憶手段を有し、前記電子メールデータ作成手段は、前記送信宛先指定手段で指定した宛先に対応した前記画像データに関する情報に従って画像処理された画像データに基づき電子メールデータを作成することを特徴とする請求項１乃至請求項３のいずれか１項に記載の通信装置。
【請求項５】
前記送信手段は、前記電子メールデータ作成手段で作成した電子メールデータを、ＳＭＴＰサーバに対し、ＭＡＩＬ ＦＲＯＭコマンドで１つの送信宛先をセットして送信することを特徴とする請求項１乃至請求項４のいずれか１項に記載の通信装置。
【請求項６】
電子メールデータの送信宛先として複数の送信宛先を指定することが可能な送信宛先指定手段と、
前記送信宛先指定手段で指定された複数の送信宛先を、所定の宛先数を越えない複数の群に分割する分割手段と、
送信宛先指定手段で指定された複数の送信宛先の全てが記述されている電子メール宛先フィールドを含む電子メールデータを、前記分割手段で分割される群毎に作成する電子メールデータ作成手段と、
前記電子メールデータ作成手段で作成した電子メールデータを前記分割手段で分割される群毎に送信する送信手段と、
を備えることを特徴とする通信装置。
【請求項７】
前記分割手段は、前記所定の宛先数毎に前記複数の送信宛先を分割することを特徴とする請求項６に記載の通信装置。
【請求項８】
前記送信手段は、前記電子メールデータ作成手段で作成した電子メールデータを、ＳＭＴＰサーバに対し、ＭＡＩＬ ＦＲＯＭコマンドで前記分割手段で分割される１つの群に含まれる送信宛先を通知して送信することを特徴とする請求項６又は請求項７に記載の通信装置。
【請求項９】
前記送信宛先指定手段は、前記電子メール宛先フィールドのＴｏフィールド、Ｃｃフィールド及びＢｃｃフィールドにセットされるべき送信宛先を指定することを特徴とする請求項１乃至請求項８のいずれか１項に記載の通信装置。
【請求項１０】
画像データを入力する画像入力工程と、
複数の送信宛先を指定する送信宛先指定工程と、
前記送信宛先指定工程で指定された複数の送信宛先の全てが記述されている電子メール宛先フィールドと前記画像入力工程で入力された画像データとを含む電子メールデータを、前記送信宛先指定工程で指定された送信宛先毎に作成する電子メールデータ作成工程と、
前記電子メールデータ作成工程で作成した電子メールデータを前記送信宛先指定工程で指定された送信宛先毎に送信する送信工程と、
を備えることを特徴とする通信方法。
【請求項１１】
前記送信宛先指定工程で指定された複数の送信宛先のうちの１宛先分の宛先を示す情報を前記画像入力工程で入力した画像データに付加する宛先情報付加工程を有し、前記電子メールデータ作成工程は、前記電子メール宛先フィールドと、前記宛先情報付加工程により宛先を示す情報が付加された画像データとに基づき電子メールデータを作成することを特徴とする請求項１０に記載の通信方法。
【請求項１２】
前記電子メールデータ作成工程は、前記画像入力工程で入力された画像データを、前記送信宛先指定工程で入力された複数の送信宛先毎に、サイズ、解像度又は圧縮方式の異なる画像データとなるよう処理して電子メールデータを作成可能であることを特徴とする請求項１０又は請求項１１に記載の通信方法。
【請求項１３】
複数の送信宛先毎に扱える画像データに関する情報を記憶する記憶工程を有し、前記電子メールデータ作成工程は、前記送信宛先指定工程で指定した宛先に対応した前記画像データに関する情報に従って画像処理された画像データに基づき電子メールデータを作成することを特徴とする請求項１０乃至請求項１２のいずれか１項に記載の通信方法。
【請求項１４】
前記送信工程は、前記電子メールデータ作成手段で作成した電子メールデータを、ＳＭＴＰサーバに対し、ＭＡＩＬ ＦＲＯＭコマンドで１つの送信宛先をセットして送信することを特徴とする請求項１０乃至請求項１３のいずれか１項に記載の通信方法。
【請求項１５】
電子メールデータの送信宛先として複数の送信宛先を指定する送信宛先指定工程と、
前記送信宛先指定工程で指定された複数の送信宛先を、所定の宛先数を越えない複数の群に分割する分割工程と、
送信宛先指定工程で指定された複数の送信宛先の全てが記述されている電子メール宛先フィールドを含む電子メールデータを、前記分割工程で分割される群毎に作成する電子メールデータ作成工程と、
前記電子メールデータ作成工程で作成した電子メールデータを前記分割工程で分割される群毎に送信する送信工程と、
を備えることを特徴とする通信方法。
【請求項１６】
前記分割工程は、前記所定の宛先数毎に前記複数の送信宛先を分割することを特徴とする請求項１５に記載の通信方法。
【請求項１７】
前記送信工程は、前記電子メールデータ作成工程で作成した電子メールデータを、ＳＭＴＰサーバに対し、ＭＡＩＬ ＦＲＯＭコマンドで前記分割工程で分割される１つの群に含まれる送信宛先を通知して送信することを特徴とする請求項１５または１６に記載の通信方法。
【請求項１８】
前記送信宛先指定工程は、前記電子メール宛先フィールドのＴｏフィールド、Ｃｃフィールド及びＢｃｃフィールドにセットされるべき送信宛先を指定することを特徴とする請求項１０乃至請求項１７のいずれか１項に記載の通信方法。
【請求項１９】
請求項１０乃至請求項１８のいずれか１項に記載の通信方法の各工程をコンピュータに実行させることを特徴とするコンピュータプログラム。
【請求項２０】
請求項１９に記載のコンピュータプログラムを格納したことを特徴とするコンピュータ読み取り可能な記憶媒体。
【手続補正２】
【補正対象書類名】明細書
【補正対象項目名】００１２
【補正方法】変更
【補正の内容】
【００１２】
上記課題を解決するために、本発明による通信装置は、画像データを入力する画像入力手段と、複数の送信宛先を指定することが可能な送信宛先指定手段と、前記送信宛先指定手段で指定された複数の送信宛先の全てが記述されている電子メール宛先フィールドと前記画像入力手段で入力された画像データとを含む電子メールデータを、前記送信宛先指定手段で指定された送信宛先毎に作成する電子メールデータ作成手段と、前記電子メールデータ作成手段で作成した電子メールデータを前記送信宛先指定手段で指定された送信宛先毎に送信する送信手段と、を備えることを特徴とする。
【手続補正３】
【補正対象書類名】明細書
【補正対象項目名】００１３
【補正方法】変更
【補正の内容】
【００１３】
また、本発明による通信装置は、電子メールデータの送信宛先として複数の送信宛先を指定することが可能な送信宛先指定手段と、前記送信宛先指定手段で指定された複数の送信宛先を、所定の宛先数を越えない複数の群に分割する分割手段と、送信宛先指定手段で指定された複数の送信宛先の全てが記述されている電子メール宛先フィールドを含む電子メールデータを、前記分割手段で分割される群毎に作成する電子メールデータ作成手段と、前記電子メールデータ作成手段で作成した電子メールデータを前記分割手段で分割される群毎に送信する送信手段と、を備えることを特徴とする。
【手続補正４】
【補正対象書類名】明細書
【補正対象項目名】００１４
【補正方法】変更
【補正の内容】
【００１４】
さらに、本発明による通信方法は、画像データを入力する画像入力工程と、複数の送信宛先を指定する送信宛先指定工程と、前記送信宛先指定工程で指定された複数の送信宛先の全てが記述されている電子メール宛先フィールドと前記画像入力工程で入力された画像データとを含む電子メールデータを、前記送信宛先指定工程で指定された送信宛先毎に作成する電子メールデータ作成工程と、前記電子メールデータ作成工程で作成した電子メールデータを前記送信宛先指定工程で指定された送信宛先毎に送信する送信工程と、を備えることを特徴とする。
【手続補正５】
【補正対象書類名】明細書
【補正対象項目名】００１５
【補正方法】変更
【補正の内容】
【００１５】
また、本発明による通信方法は、電子メールデータの送信宛先として複数の送信宛先を指定する送信宛先指定工程と、前記送信宛先指定工程で指定された複数の送信宛先を、所定の宛先数を越えない複数の群に分割する分割工程と、送信宛先指定工程で指定された複数の送信宛先の全てが記述されている電子メール宛先フィールドを含む電子メールデータを、前記分割工程で分割される群毎に作成する電子メールデータ作成工程と、前記電子メールデータ作成工程で作成した電子メールデータを前記分割工程で分割される群毎に送信する送信工程と、を備えることを特徴とする。
【手続補正６】
【補正対象書類名】明細書
【補正対象項目名】００１７
【補正方法】変更
【補正の内容】
【００１７】
以上のような構成を備える本発明によれば、指定された複数の送信宛先の全てが電子メールフィールドに記述されている電子メールデータを送信宛先毎に作成して送信するので、送信宛先毎に異なる画像データを送信できるとともに他にどの送信宛先が指定されていたかを送信先で確認可能となる。
【手続補正７】
【補正対象書類名】明細書
【補正対象項目名】００１８
【補正方法】変更
【補正の内容】
【００１８】
また、本発明によれば、メールサーバで扱える宛先数を越える送信宛先が指定されたとしてもその宛先数を越えないデータとして、しかも各送信先で他にどの送信宛先が指定されていたかを確認可能となる。
【手続補正８】
【補正対象書類名】明細書
【補正対象項目名】発明の名称
【補正方法】変更
【補正の内容】
【発明の名称】通信装置、通信方法、コンピュータプログラム及びコンピュータ読み取り可能な記憶媒体
【手続補正９】
【補正対象書類名】明細書
【補正対象項目名】０００１
【補正方法】変更
【補正の内容】
【０００１】
本発明は、複数の送信宛先を指定して電子メールデータを送信するための通信装置、通信方法、コンピュータプログラム及びコンピュータ読み取り可能な記憶媒体に関する。